(57)【特許請求の範囲】
【請求項１】
経机状をなす箱状体を前後に引出し状に出し入れ自在に収納しうる基台部を有する仏壇であって、
前記箱状体に、垂直軸回りで回動自在に枢支されかつ該箱状体が前記基台部に収納された収納状態において該基台部の側板内方に位置する載置板を設けるとともに、
該箱状体の前への移動に連動して前記載置板を、前記側板の前端と衝合することなく回転させる回動手段を具えたことを特徴とする仏壇。
【請求項２】
前記回動手段は、前記箱状体が最も引き出された最大引き出し状態からの該箱状体の後への移動により、前記載置板を、前記側板の前端に衝合することなく回動させ前記収納状態とすることを特徴とする請求項１記載の仏壇。
【請求項３】
前記基台部は、箱状体を電動機により前後に出し入れする引き押し装置を具えることを特徴とする請求項１または２記載の仏壇。
【請求項４】
前記回動手段は、前記箱状体の第１点で枢支され水平面内で揺動する第１のリンクと、
一端が前記載置板の枢支位置から隔たる第２点で該載置板に枢着されかつ他端が前記第１のリンクの一端の第３点に枢着される第２のリンクと、
一端が前記第１のリンクの他端の第４点に枢着されかつ他端が前記基台部の第５点で枢支された第３のリンクとからなり、
載置板の枢支位置と前記第１点とを結ぶ線分、載置板の前記枢支位置と第２点とを結ぶ線分、第２リンク、及び第１のリンクの第１点と第３点との間は、４節回転連鎖機構をなすことを特徴とする請求項１乃至３のいずれか１記載の仏壇。
【発明の詳細な説明】
【０００１】
【発明の属する技術分野】
本発明は、経机状をなす箱状体を内部に出し入れ自在に収納しうる基台部を有する仏壇に関する。
【０００２】
【従来の技術及び発明が解決しようとする課題】
一般に、経机と仏壇とは別々に形成されているため、夫々の配置場所が必要となり室内が狭くなるという問題点がある。従って、近年、室内のスペースを有効に活用するために、経机を内部に出し入れ自在に収納する基台部を有する仏壇が提案されている。
【０００３】
本発明は、このような経机状をなす箱状体を内部に出し入れ自在に収納する基台部を有する仏壇をさらに発展させたものであって、前記箱状体に、垂直軸回りで回動自在に枢支されかつ該箱状体が前記基台部に収納された収納状態において該基台部の側板内方に位置する載置板を設けるとともに、この載置板を該箱状体の移動に連動して回動させることを基本として、載置板の向き変えを自動化しうる仏壇を提供することを目的としている。
【０００４】
【課題を解決するための手段】
本発明は、経机状をなす箱状体を前後に引出し状に出し入れ自在に収納しうる基台部を有する仏壇であって、前記箱状体に、垂直軸回りで回動自在に枢支されかつ該箱状体が前記基台部に収納された収納状態において該基台部の側板内方に位置する載置板を設けるとともに、該箱状体の前への移動に連動して前記載置板を、前記側板の前端と衝合することなく回転させる回動手段を具えたことを特徴としている。
【０００５】
また前記回動手段は、前記箱状体が最も引き出された最大引き出し状態からの該箱状体の後への移動により、前記載置板を、前記側板の前端に衝合することなく回動させ前記収納状態とすることが望ましい。
【０００６】
また前記基台部は、箱状体を電動機により前後に出し入れする引き押し装置を具えることができる。さらに前記回動手段は、前記箱状体の第１点で枢支され水平面内で揺動する第１のリンクと、一端が前記載置板の枢支位置から隔たる第２点で該載置板に枢着されかつ他端が前記第１のリンクの一端の第３点に枢着される第２のリンクと、一端が前記第１のリンクの他端の第４点に枢着されかつ他端が前記基台部の第５点で枢支された第３のリンクとからなり、載置板の枢支位置と前記第１点とを結ぶ線分、載置板の前記枢支位置と第２点とを結ぶ線分、第２リンク、及び第１のリンクの第１点と第３点との間は、４節回転連鎖機構をなすことができる。
【０００７】
【発明の実施の形態】
以下本発明の一実施形態を図面に基づき説明する。
図１〜３において、本実施形態の仏壇１は、仏壇基部２と、この仏壇基部２の上部に例えば飾り台ａを介して載置されしかも内部に本尊、位牌、仏像、掛け軸、仏具などが祀られる仏壇本体３とからなる。また本例では、前記仏壇基部２は、経机状をなす箱状体４と、この箱状体４を前後に引出し状に出し入れ自在に収納しうる基台部５とを含むものを例示している。
【０００８】
前記基台部５は、底板５Ａと、その両側縁近傍で立上がりかつ前後にのびる一対の側板５Ｂ、５Ｂと、各側板５Ｂの後縁間を継ぐ背板５Ｃと、前記側板５Ｂ及び背板５Ｃの各上端間に水平に架け渡される上板５Ｄとを有する略矩形の箱状で形成されている。前記上板５Ｄは、例えばその前縁中央部分を凹状に切り欠いた切欠き部を有し、この切欠き部５の両側には、例えば花台を載置するための載置部が設けられる。
【０００９】
また本例の基台部５は、前記上板５Ｄの下方位置に、前記側板５Ｂ、５Ｂ間で支持されかつレール等の適宜の案内手段（図示せず）を介して前後に移動自在な摺動板５Ｅを設けたものが例示されている。この摺動板５Ｅは、前記側板５Ｂ、５Ｂ間を跨る横長の板体であって、例えば基台部５への収納時（図１）には、前記上板５Ｄの下面との間に角香炉などの仏具を収納可能な３〜１０ｃｍ程度の高さを有する空間を形成しうる。
【００１０】
また摺動板５Ｅの引き出し時（図２）には、その上面に多くの仏具を載置可能とし、とりわけ前記上板５Ｄの前記切欠き部５などを利用することで、例えば前記空間に収まりきらない蝋燭立てなどの長身の仏具なども載置可能とする。なお摺動板５Ｅは、基台部５からそれ自体単独で出し引きしうるものの他、例えば前記箱状体４から突出するピンなどに係合するガイド溝などを設けることにより箱状体の前後移動に連係させて出し引きするようにも構成しうる。
【００１１】
このように基台部５は、前記摺動板５Ｅ、側板５Ｂ、５Ｂ、背板５Ｃ及び底板５Ａによって前面が開放されかつ内部に通じる開口部Ｏが形成される。また基台部５は、前記底板５Ａの上面に前記箱状体４を前後に案内するガイドレールＧＲが設けられる。
【００１２】
また前記箱状体４は、図１、図２に示す如く、下板４ａと天板４ｂとの間を縦板４ｃで組み合わせた経机状をなし、前記基台部５の前記開口部Ｏを通ってその内部に引出し状で出し入れ自在に収納される。なお本例の前記縦板４ｃは、前記箱状体の一の側部に配された外の縦板４ｃ１と、中央寄りに配された内の縦板４ｃ２とからなるものが例示され、該箱状体４の他の一の側部は縦板が設けられておらず開放されたものが例示される。
【００１３】
本実施形態においては、前記天板４ｂは、例えば経本及び数珠などの小仏具を収納可能なように、収納状態（図１）において前記摺動板５Ｅの下面との間に例えば３ｃｍ程度の高さを有する小隙間を隔てて位置するものが例示され、また引き出すことにより、その天板４ｂの上面に多くの仏具を適宜並べうる。
【００１４】
また前記箱状体４は、本例ではその一方側に、前記内の縦板４ｃ２と外の縦板４ｃ１との間で出し入れ自在に設けられた引出し部１９を具えるとともに、他方側には、例えば鈴等の打器、その他の仏具などが載置可能な載置板６が前記下板４ａに、垂直軸回りで回動自在に枢支されている。また箱状体４が前記基台部５に収納された収納状態（図１）において、前記載置板６は、基台部５の側板５Ｂ、５Ｂの各内面よりも内方に位置しており、本例では載置板６が前記下板４ａの前縁よりも後方に位置するものが例示される。さらに、前記収納状態において、載置板６の前記枢支位置ＰＮ（図３に示す）は、本例では載置板６の巾方向の中間位置よりも箱状体４の外側に寄せた位置に設定されている。なお載置板６は、前記収納状態において側板５Ｂの前端ｆから前方へはみ出る部分を含んでいる。
【００１５】
該載置板６は、本例では平面視が略正方形状をなす板材からなり、その４隅が面取りされたものが例示されている。また載置板６は、前記箱状体４の下板４ａに前記垂直軸回りに回動自在に枢支されており、本実施形態ではこの枢支位置ＰＮが前記側の縦板４ｃ１が配されていない箱状体４の側部側に設けられている。
【００１６】
本実施形態の箱状体４は、基台部５に設けられかつ電動機Ｍを含む引き押し装置Ｄによって前後に移動しうるよう自動化されたものが例示される。前記引き押し手段Ｄは、図３に示す如く、例えば基台部５の前記底板５Ａの上面に配されかつ前後にのびる一対のレール９、９と、前記底板５Ａの上面に配されかつ前記レール９と平行にのびるラック１０と、前記レール９内を上下及び左右方向に拘束されつつ前後に転動しうるローラ１２を４隅に有する走行機枠１３と、この走行機枠１３に固着されかつ回転軸に前記ラック１０に噛み合うピニオン１４を装着した前記電動機Ｍとから構成され、本例ではこの引き押し手段Ｄを着脱可能な結合手段Ｊを介して箱状体４に接続したものを例示している。
【００１７】
また前記基台部５の底板５Ａには、箱状体４がこの基台部５に収納された収納状態と、箱状体４が最も引き出された最大引き出し状態とをそれぞれ検知しうるリミットスイッチＳＲ、ＳＦが前後に設けられるとともに、前記走行機枠１３には、該リミットスイッチＳＦ、ＳＲの検出片に当接してこれらを作動させるドグ１５を具える。そして、これらの各リミットスイッチＳＲ、ＳＦの検出信号は、図示しない制御器へと入力されて前記電動機Ｍの所定の制御が行われる。
【００１８】
また本例の仏壇１には、前記箱状体４を移動させる操作スイッチＳＴが設けられており、例えば前への移動指示操作により、前記電動機Ｍが所定の向きに回転し前記ラック１０に沿って走行機枠１３が前進することにより、結合手段Ｊを介して箱状体４を前へと押し出ししうる。また、走行機枠１３の前進によりそのドグ１５が前記最大引き出し状態を検知するリミットスイッチＳＦに当接すると、制御器が電動機Ｍを停止させ、箱状体４をこの最大引き出し状態に位置させることができる。
【００１９】
同様に、後への移動指示操作により、前記電動機Ｍが前記とは逆向きに回転し前記ラック１０に沿って走行機枠１３を後退させることにより、結合手段Ｊを介して箱状体４を後ろに引き込みしうる。また走行機枠の後退によりそのドグ１５が前記収納状態を検知するリミットスイッチＳＲに当接すると、制御器が電動機Ｍを停止させ箱状体４を収納状態へと位置させることができる。なお箱状体４と当接する事により該箱状体４の移動を機械的に規制するストッパなどを併設することも望ましい。このように本実施形態の仏壇では、前記箱状体４を自動で前後に出し引きしうる結果、仏事の際などの労力を軽減して省力化を図ることができ、仏壇の使い勝手を大幅に向上しうる。
【００２０】
本例の前記走行機枠１３は、例えば鉄等の磁性体から形成されており、また結合手段Ｊは、この走行機枠１３を吸着しうる永久磁石１７から構成されたものが例示される。該永久磁石１７は、例えばホルダを介して前記箱状体４の下板４ａの後端側に固着されており、前記走行機枠１３を吸着しうる。
【００２１】
このように、結合手段Ｊを磁性体を脱着可能に吸着しうる永久磁石１７から構成したときには、例えば電動機Ｍが前記収納位置において故障等によりロックしたような場合、手動により箱状体４を前へと強く引っ張るという簡単な動作で該結合手段Ｊを切り離すことができ、走行機枠１３をその場に残したまま箱状体４だけを引き出しでき、電動機Ｍの故障時にも箱状体４の前後移動を確保しうる点で特に好ましい。なお磁性体には、例示の鉄の他、永久磁石、この永久磁石によって磁化されて吸着されるコバルト、ニッケルなどの一時的に磁化可能な磁性材料、前記永久磁石と異極性を向けた他の永久磁石などが含まれる。
【００２２】
また本実施形態では、箱状体４の前への移動に連動して前記載置板６を前記基台部５の側板５Ｂの前端ｆと衝合することなく回転させるとともに、前記最大引き出し状態からの該箱状体４の後への移動により、載置板６を前記側板５Ｂの前端ｆに衝合することなく回動させ再び元の収納状態としうる回動手段７を具えているものを例示している。
【００２３】
本例の回動手段は、図１、２、３に示す如く、第１のリンクＬ１と、第２のリンクＬ２と、第３のリンクＬ３とから構成される。前記第１のリンクＬ１は、例えばその略中間を前記箱状体４の下板４ａの第１点Ｐ１で回動自在に枢支され水平面内で揺動することができる。また前記第２のリンクＬ２は、一端が前記載置板６の枢支位置ＰＮから隔たる第２点Ｐ２（本例では載置板６の略中心）で該載置板６に回動自在に枢着され、かつ他端が前記第１のリンクＬ１の一端（本例では載置板６寄りの端部）の第３点Ｐ３に回動自在に枢着されている。また前記第３のリンクＬ３は、一端が前記第１のリンクＬ１の他端（本例では背板５Ｃ寄りの端部）である第４点Ｐ４に回動自在に枢着され、かつ他端が前記基台部５の底板５Ａの後端側に、高さを合わせるための取付部２１を介して第５点Ｐ５で回動自在に枢支されている。
【００２４】
そして、図４には前記収納状態から最大引き出し状態までの間のこれらのリンクの変化を略示している。載置板６の枢支位置ＰＮと前記第１点Ｐ１とを結ぶ線分（ＰＮ−Ｐ１）、載置板６の前記枢支位置ＰＮと第２点Ｐ２とを結ぶ線分（ＰＮ−Ｐ２）、第２のリンクＬ２をなす線分（Ｐ２−Ｐ３）、及び第１のリンクＬ１の第１点Ｐ１と第３点Ｐ３との間の線分（Ｐ１−Ｐ３）は、４節回転連鎖機構を構成している。また本例の４節回転連鎖機構は、前記線分（ＰＮ−Ｐ１）が下板４ａに固定されることとなる。この線分（ＰＮ−Ｐ１）は、最小の線分（リンク）（ＰＮ−Ｐ２）と隣接するため、前記線分（Ｐ１−Ｐ３）の揺動に基づき前記線分（ＰＮ−Ｐ２）を回転させる「てこクランク機構」を構成する。この線分（ＰＮ−Ｐ２）の回転は、載置板６の回転に等しい。
【００２５】
本実施形態の仏壇では、前記箱状体４は基台部５に対して前後に移動する。この際、第３のリンクＬ３によって第１のリンクＬ１が水平面内で揺動する。この第１のリンクＬ１の揺動は、前述の４節回転連鎖機構の線分（Ｐ１−Ｐ３）の揺動となり、ひいては載置板６を回動させうる。また、載置板６は下板４ａに対して枢支位置ＰＮの回りに回動するが、この回動は前記箱状体４の前後移動に連動して行われているため、該載置板６を前記基台部５の側板５Ｂに衝合することなく行うことが可能となる。
【００２６】
このように、本実施形態の仏壇１は、箱状体４の前後の出し入れを自動化しうるとともに、この箱状体４の移動に連動して載置板６を、前記側板５Ｂの前端Ｆなどと衝合することなく回転させる回動手段７を具えたことによって、載置板の回動を自動化ならしめ使い勝手を向上し得るほか、載置板６の箱状体４との連動した回動によって仏壇に荘厳さをも与えうる。また、このような回動手段７をリンク機構によって構成したときには、簡単な構成で上述の動作を実現できる。
【００２７】
また本例では、図２に示した箱状体４の最大引き出し状態の如く、載置板６は、その回動によって収納状態から前記箱状体４の下板４ａの前縁から前方へとはみ出すはみ出し位置まで回動しうる。従って、鈴等の打器２０をこの載置板６に載置した場合には、例えば前記箱状体４の天板４ｂなどに邪魔されることなく該打器２０の打鳴らしを容易とし使い勝手を大幅に向上できる。なお、前記載置板６上に、例えば鈴打ち受け等を配設し鈴打ちを設置しておくことも好ましく実施しうる。
【００２８】
図５には、回動手段７の他の実施形態を示している。
本例の回動手段７は、第５のリンクＬ５と、第６のリンクＬ６とから構成されている。前記第５のリンクＬ５は、一端が載置板６の前記第２点Ｐ２に回動自在に枢支されかつ他端が前記第６のリンクＬ６の一端に回動自在に枢支されている。また第６のリンクＬ６の他端は、前記基台部５の底板５Ａから箱状体４に設けたガイド溝２２を通って突出するピン２３に回動自在に枢支される。また前記ガイド溝２２は、前記収納状態においてピン２３から下板４ａの後端まで形成されている。箱状体４が前に移動すると、第２点Ｐ２とピン２３との距離が増し、前記載置板６を図において枢支位置ＰＮに関して左回りにかつ前記側板５Ｂに衝合することなく回動させることができる。箱状体４が後ろに移動した際には、載置板６がその逆向きに回動しうる。
【００２９】
図６には、回動手段７のさらに他の実施形態を示している。
本例の回動手段７は、前記側板５の内面に設けたラック２４と、歯車列２５とから構成されている。また載置板６の枢支位置ＰＮなどは前記実施形態と同一のものを例示している。前記歯車列２５は、本例では前記載置板６の下方かつ箱状体４の下板４ａに回動自在に枢支されしかも前記ラック２４に噛み合う第１歯車２６と、この第１歯車２６に噛み合うアイドル歯車２７と、このアイドル歯車２７に噛み合いかつ前記載置板６の下面に該載置板と一体に固着された第２歯車２９とを含んでいる。そして、箱状体４が前に移動すると、第１歯車がラック２４に噛み合って回転し、アイドル歯車２７を介して該第１の歯車と同向きで第２歯車と一体化された載置板を回動させうる。このように、回動手段７は、リンク機構に限定されることなく歯車機構、さらには図示しないベルト、チェーンなどの伝導機構をも採用しうる。
【００３０】
図７には、載置板６の他の実施形態を示している。
本例の載置板６は、収納状態において前記箱状体４の前方及び側方の一部を覆う覆い板３０がその前縁近傍に立設されたものが例示される。この例では、箱状体４の前への移動に連動してこの覆い板３０を開けて載置板６を露出させることができ、箱状体４の出し入れの際の荘厳さをさらに高めうる。なお図示していないが、箱状体４の前記移動量をセンサで検出し、これに連動させて電動機等により載置板６を回動することもできる。
【００３１】
さらに図８には、本発明の他の実施形態を示している。本例の仏壇１は、外扉Ｔ、Ｔによって、仏壇基部２及び仏壇本体３をともに開閉しうるいわゆる家具調仏壇として形成されたものが例示される。
【００３２】
以上本発明の実施形態について詳述したが、本発明はこのような実施形態に限定されるものではない。例えば引き押し手段Ｄとして、ラックに沿って電動機と一体となって走行する走行機枠１３を例示したが、これに限定されず、例えば底板５Ａに固設された電動機Ｍにより周回しうるチェーンやベルト等を用いて前記箱状体４を前後に移動させても良く、またこのような引き押し手段Ｄを省略した手動方式を採用することにより低コストの仏壇を提供することも可能である。このとき、手動方式であっても箱状体の押し引きにより載置板６を回動させることができる。また載置板の形状も適宜変形しうる。
【００３３】
【発明の効果】
以上説明したように本発明の仏壇は、経机状の箱状体の出し入れに際して、該箱状体の前への移動に連動して前記載置板を、前記側板の前端と衝合することなく回転させることができ、載置板を回転させる労力を低減し省力化を図りうるなど仏壇の使い勝手を向上しうる。また、載置板が回動する枢支位置を適宜設定することにより、例えば載置板を前方へと大きく移動させることも可能となり、載置板上に載置された物品の出し入れの他、例えば鈴等の打器を載置したときにはその打ち鳴らしを容易とし使い勝手をさらに向上しうる。
【００３４】
また回動手段は、箱状体が最も引き出された最大引き出し状態からの該箱状体の後への移動により、前記載置板を、前記側板の前端に衝合することなく回動させ前記収納状態とするときには、箱状体の収納動作に連動して載置板をも収納でき、操作性が大幅に向上する。
【００３５】
また箱状体を電動機により前後に出し入れする引き押し装置を具えるときには、載置板の回動などを自動化でき、使い勝手がさらに向上する。また回動手段をリンク機構によって構成したときには、簡単な構成でしかも安価な仏壇を提供しうる。
【図面の簡単な説明】
【図１】本発明の一実施形態を示す仏壇の斜視図である。
【図２】その箱状体を引き出し載置板を回動させた状態を示す斜視図である。
【図３】仏壇基部を平面に沿って切断した断面図である。
【図４】回動手段を略示したリンク線図である。
【図５】回動手段の他の実施形態を示す部分平面図である。
【図６】回動手段の他の実施形態を示す部分平面図である。
【図７】他の実施形態を示す部分平面図である。
【図８】本発明の他の実施形態として家具調仏壇を略示する正面図である。
【符号の説明】
１  仏壇
２  仏壇基部
３  仏壇本体
４  箱状体
５  基台部
５Ｂ  基台部の側板
６  載置板
７  回動手段
Ｄ  引き押し手段
Ｍ  電動機
【図１】
0003623688.tif 000002
【図２】
0003623688.tif 000003
【図３】
0003623688.tif 000004
【図４】
0003623688.tif 000005
【図５】
0003623688.tif 000006
【図６】
0003623688.tif 000007
【図７】
0003623688.tif 000008
【図８】
0003623688.tif 000009